【手続補正書】
【提出日】平成16年3月24日(2004.3.24)
【手続補正１】
【補正対象書類名】明細書
【補正対象項目名】特許請求の範囲
【補正方法】変更
【補正の内容】
【特許請求の範囲】
【請求項１】
時刻データを含む情報を受信する第１の受信手段と、この第１の受信手段によって受信された情報から時刻データを抽出する抽出手段と、この抽出手段によって抽出された時刻データを正時のタイミングで送出する送出手段とを有する第１の制御手段と、
時刻を生成し計時する計時手段と、前記第１の制御手段における送信手段から送出された時刻データを受信する第２の受信手段と、この第２の受信手段によって受信された時刻データに基づいて前記計時手段により生成される計時時刻を修正する修正手段とを有する第２の制御手段とを備え、
前記修正手段は、
前記第２の受信手段によって受信される時刻データの受信終了時点から所定の待ち時間を経過した時点で、前記計時手段によって生成された計時時刻を、前記第２の受信手段によって受信された時刻データに基づく時刻に正時のタイミング間隔を加えた時刻に修正する時刻加算修正手段を有することを特徴とする時計装置。
【請求項２】
前記所定の待ち時間は、
前記正時のタイミングから前記送出手段によって時刻データの送出が開始されるまでの計測時間のうち最大となる最大計測時間と、前記送出手段によって送出された時刻データが前記第２の受信手段によって受信終了されるまでのデータ転送時間と、前記正時のタイミング間隔とに基づいて決められた時間であることを特徴とする請求項１記載の時計装置。
【請求項３】
第１の制御手段と第２の制御手段とを備えた時計装置に用いられる時刻修正方法において、
前記第１の制御手段は、時刻データを含む情報を受信する第１の受信ステップと、この第１の受信ステップによって受信された情報から時刻データを抽出する抽出ステップと、この抽出ステップによって抽出された時刻データを正時のタイミングで送出する送出ステップとを備え、
前記第２の制御手段は、時刻を生成し計時する計時ステップと、前記第１の制御手段から送出された時刻データを受信する第２の受信ステップと、この第２の受信ステップによって受信された時刻データに基づいて前記計時ステップにより生成される計時時刻を修正する修正ステップとを備え、
前記修正ステップは、
前記第２の受信手段によって受信される時刻データの受信終了時点から所定の待ち時間を経過した時点で、前記計時ステップによって生成された計時時刻を、前記第２の受信手段によって受信された時刻データに正時のタイミング間隔を加えた時刻に修正する時刻加算修正ステップを有することを特徴とする時計方法。
【手続補正２】
【補正対象書類名】明細書
【補正対象項目名】０００６
【補正方法】変更
【補正の内容】
【０００６】
【課題を解決するための手段】
前記課題を解決するために請求項１に記載の発明は、時刻データを含む情報を受信する第１の受信手段と、この第１の受信手段によって受信された情報から時刻データを抽出する抽出手段と、この抽出手段によって抽出された時刻データを正時のタイミングで送出する送出手段とを有する第１の制御手段と、
時刻を生成し計時する計時手段と、前記第１の制御手段における送信手段から送出された時刻データを受信する第２の受信手段と、この第２の受信手段によって受信された時刻データに基づいて前記計時手段により生成される計時時刻を修正する修正手段とを有する第２の制御手段とを備え、
前記修正手段は、
前記第２の受信手段によって受信される時刻データの受信終了時点から所定の待ち時間を経過した時点で、前記計時手段によって生成された計時時刻を、前記第２の受信手段によって受信された時刻データに基づく時刻に正時のタイミング間隔を加えた時刻に修正する時刻加算修正手段を有することを特徴としている。
かかる構成においては、時計装置が第１の制御手段と第２の制御手段とに分離された構成であっても、前記第２の受信手段によって受信される時刻データの受信終了時点から所定の待ち時間を経過した時点で、計時手段によって生成された計時時刻を、前記第２の受信手段によって受信された時刻データに基づく時刻に正時のタイミング間隔を加えた時刻に修正する時刻加算修正手段を有することによって、前記第２の制御手段は前記第１の制御手段から正時のタイミングを直接受け取ることなく修正手段における計時時刻の修正を行うことができる。
【手続補正３】
【補正対象書類名】明細書
【補正対象項目名】０００７
【補正方法】変更
【補正の内容】
【０００７】
また、請求項２に記載の発明は、前記所定の待ち時間は、前記正時のタイミングから前記送出手段によって時刻データの送出が開始されるまでの計測時間のうち最大となる最大計測時間と、前記送出手段によって送出された時刻データが前記第２の受信手段によって受信終了されるまでのデータ転送時間と、前記正時のタイミング間隔幅とに基づいて決められた時間であることを特徴としている。
かかる構成においても、時計装置が第１の制御手段と第２の制御手段とに分離された構成であっても、前記第２の受信手段によって受信される時刻データの受信終了時点から所定の待ち時間を経過した時点で、計時手段によって生成された計時時刻を、前記第２の受信手段によって受信された時刻データに基づく時刻に正時のタイミング間隔を加えた時刻に修正する時刻加算修正手段を有することによって、前記第２の制御手段は前記第１の制御手段から正時のタイミングを直接受け取ることなく修正手段における計時時刻の修正を行うことができる。
【手続補正４】
【補正対象書類名】明細書
【補正対象項目名】０００８
【補正方法】変更
【補正の内容】
【０００８】
更に、請求項３に記載の発明は、第１の制御手段と第２の制御手段とを備えた時計装置に用いられる時刻修正方法において、
前記第１の制御手段は、時刻データを含む情報を受信する第１の受信ステップと、この第１の受信ステップによって受信された情報から時刻データを抽出する抽出ステップと、この抽出ステップによって抽出された時刻データを正時のタイミングで送出する送出ステップとを備え、
前記第２の制御手段は、時刻を生成し計時する計時ステップと、前記第１の制御手段から送出された時刻データを受信する第２の受信ステップと、この第２の受信ステップによって受信された時刻データに基づいて前記計時ステップにより生成される計時時刻を修正する修正ステップとを有する第２の制御手段とを備え、
前記修正ステップは、
前記第２の受信手段によって受信される時刻データの受信終了時点から所定の待ち時間を経過した時点で、前記計時ステップによって生成された計時時刻を、前記第２の受信手段によって受信された時刻データに正時のタイミング間隔を加えた時刻に修正する時刻加算修正ステップを有することを特徴としている。
かかる方法においては、時計装置が第１の制御手段と第２の制御手段とに分離された構成であっても、第２の受信手段によって受信される時刻データの受信終了時点から所定の待ち時間を経過した時点で、計時ステップによって生成された計時時刻を、前記第２の受信手段によって受信された時刻データに正時のタイミング間隔を加えた時刻に修正する時刻加算修正ステップを有することによって、前記第２の制御手段は前記第１の制御手段から正時のタイミングを直接受け取ることなく修正ステップにおける計時時刻の修正を行うことができる。
【手続補正５】
【補正対象書類名】明細書
【補正対象項目名】０００９
【補正方法】削除
【補正の内容】
【手続補正６】
【補正対象書類名】明細書
【補正対象項目名】００１６
【補正方法】変更
【補正の内容】
【００１６】
そして、メインモジュール２における時計部１２の時刻合わせ（時刻修正）は、ＧＰＳモジュール３から前記秒キャリーのタイミング「Ａ」を基準としてデータが送信されたら、図３の（２）の最終データの取得タイミング「Ｄ」の後、ＲＯＭ９に記憶されている前記待ち時間Δｔを経過した瞬間に（同図の（４）のタイミング「Ｇ」）、前記時計部１２の時間を、タイミング「Ｃ」〜「Ｄ」の間に得た時刻データ（前回の秒キャリーのタイミング「Ａ」で送られた時刻データ）に１秒を加えた時間に修正する。これにより、極めて精度の良い時刻合わせが行われる。なお、図４の（５）におけるタイミング「Ｈ」は、時刻合わせが行われる直前における時計部１２の秒キャリータイミングであり、タイミング「Ｈ」〜「Ｇ」の時間ΔＴが時刻合わせが行われた際におけるタイミング幅である。


【手続補正７】
【補正対象書類名】明細書
【補正対象項目名】００２２
【補正方法】変更
【補正の内容】
【００２２】
【発明の効果】
以上説明したように本発明においては、時計装置が第１の制御手段と第２の制御手段とに分離された構成であっても、第２の受信手段によって受信される時刻データの受信終了時点から所定の待ち時間を経過した時点で、計時手段によって生成された計時時刻を、前記第２の受信手段によって受信された時刻データに基づく時刻に正時のタイミング間隔を加えた時刻に修正する時刻加算修正手段を有することによって、前記第２の制御手段は前記第１の制御手段から正時のタイミングを直接受け取ることなく修正手段における計時時刻の修正を行うことができるようにした。
よって、正時のタイミングを直接受け取るために必要な時刻同期信号線等が不要となるため、装置内のシステムの実装面積、及び部品点数を削減することができ、測位装置の小型化及び低コスト化を図りつつ、高精度の時刻を有することが可能となる。また、正時のタイミングとより近いタイミングで時計手段の生成時刻が修正できるようにしたことから、より高精度の時刻をえることが可能となる。